(57)【要約】 【課題】ステップ運針する指針と外装表示部材との間、および外装表示部材間の位置ずれの少ない構造を備え、デザイン上の制約も少なく、組立性に優れた時計を提供すること。【解決手段】文字板８とダイヤルリング９とをムーブメントを構成する構成部材である地板２の第一、第二突起部１０、１１に個別に係合させる。ここで、指針の位置等は、ムーブメント上において正確に決められている。地板２に対して、文字板８、ダイヤルリング９の位置を第一、第二突起部１０、１１によって合わせることはすなわち、指針、文字板８、ダイヤルリング９相互の位置精度が向上し、指針による表示が正確になる。また、文字板８とダイヤルリング９とを個々に地板２に固定するため、文字板８とダイヤルリング９間で固定する際のような部材間の隙間による表示のずれの発生が少なくなる。【選択図】  図１
2005265783.tif 000002
【特許請求の範囲】
【請求項１】
文字板とダイヤルリングとを備えた時計であって、
ムーブメントを構成する構成部材には、前記文字板と係合する少なくとも二箇所以上の第一係合部、および前記ダイヤルリングと係合する少なくとも二箇所以上の第二係合部が設けられていることを特徴とする時計。
【請求項２】
請求項１に記載の時計において、
前記第一係合部の少なくとも一対および前記第二係合部の少なくとも一対が、前記ムーブメントの中心を挟んで略直線上に位置することを特徴とする時計。
【請求項３】
請求項１または２に記載の時計において、
前記係合部の頂点が略同一平面内にあり、前記第一係合部の少なくとも一対を結ぶ直線および前記第二係合部の少なくとも一対を結ぶ直線のなす交わり角度が、３０°以上１５０°以下であることを特徴とする時計。
【請求項４】
請求項１〜３のいずれかに記載の時計において、
前記ダイヤルリングと前記第二係合部が接する部分の一部は、断面視方向において文字板と重なっていることを特徴とする時計。
【請求項５】
請求項１〜４のいずれかに記載の時計において、
前記文字板と前記ダイヤルリングと前記ムーブメントを構成する構成部材とが合成樹脂製であることを特徴とする時計。
【発明の詳細な説明】
【技術分野】
【０００１】
本発明は、ステップ運針する時計に関する。
【背景技術】
【０００２】
ステップ運針する時計の指針と、時刻や各種機能が表示された外装表示部材（文字板、ダイヤルリング）との位置決め精度は、時計自体の精度が上がるにつれ、表示自体にも正確さが要求されるなかでますます重要となってきている。特に電波時計のように、時刻のくるいがほとんど生じない時計においては、指針と外装表示部材との位置決めが良好に行われていない場合、そのずれがよけいに目立つなど粗悪感が増す。
【０００３】
従来から、文字板を地板で案内して、さらに文字板でダイヤルリングを案内するという位置決め構造が知られている（例えば、特許文献１の従来例参照）。
また、ダイヤルリングが文字板の位置決め部で締代固定されるという位置決め構造が知られている（例えば、特許文献２参照）。
さらに、文字板を挟持しながらダイヤルリングの下面側に突出させた足をムーブメントの地板外周の足穴に圧入して位置決めするものが知られている。（例えば、特許文献３参照）
【０００４】
【特許文献１】特開平１１−１４２５３７号公報（第１〜第２頁）
【特許文献２】実開昭６３−７９５８５
【特許文献３】実開昭６２−５１２８７
【発明の開示】
【発明が解決しようとする課題】
【０００５】
しかし、特許文献１で示された従来例では、文字板の平面方向の突起部をダイヤルリングの切欠部に係合させて互いの回転方向の位置決めをし、径方向の位置決めは、文字板外形部と文字板より若干大きめのダイヤルリングの溝で決まる。組立性を考えると、文字板外形部とダイヤルリングの溝との間に隙間を設けざるを得ず、その隙間による位置ずれが発生しやすいという問題がある。
【０００６】
また、特許文献２では、外装表示部材の取り外し性が良好でないうえ、ダイヤルリングの金型が複雑になるという問題や、地板との位置合わせが外装表示部材それぞれでなされておらず、位置決め精度を向上させるには限界があるという問題がある。
さらに、特許文献３では、ダイヤルリングの下面側に突出させた足のみで文字板を挟持しながら地板に固定するため、ダイヤルリングと文字板間の位置ずれが発生しやすいという問題がある。
【０００７】
上記従来例等では、いずれも文字板とダイヤルリングがそれぞれ独立してムーブメント側との位置決めおよび固定がされてない。ステップ運針する指針は、ムーブメントによって運針の位置が決められるが、従来の構造では、文字板でダイヤルリングを固定したり、外装表示部材（文字板とダイヤルリング）とムーブメント側との位置決めが個々に正確に行われていないため、指針の指示した位置に指示すべき表示が正確に位置しないという問題がある。また、ダイヤルリングから突出した足のみで文字板も一緒に固定する構造では、足の長さを長くせざるを得ず、係合部である足の強度の点で問題がある。
【０００８】
本発明の目的は、ステップ運針する指針と外装表示部材との間、および外装表示部材間の位置ずれの少ない構造を備え、デザイン上の制約も少なく、組立性に優れた時計を提供することにある。
【課題を解決するための手段】
【０００９】
本発明の時計は、文字板とダイヤルリングとを備えた時計であって、ムーブメントを構成する構成部材には、前記文字板と係合する少なくとも二箇所以上の第一係合部、および前記ダイヤルリングと係合する少なくとも二箇所以上の第二係合部が設けられていることを特徴とする。
【００１０】
この発明によれば、文字板とダイヤルリングとをムーブメントを構成する構成部材の第一、第二係合部に個別に係合させる。ここで、時計のムーブメントでは、これを構成する指針や他の構成部材が精度良く精密に組み立てられており、指針の位置等は、ムーブメント上において正確に決められている。そのムーブメントを構成する構成部材に対して、文字板、ダイヤルリングの位置を第一、第二係合部によって合わせることはすなわち、指針、文字板、ダイヤルリング相互の位置精度が向上し、指針による表示が正確になる。また、文字板とダイヤルリングとを個々にムーブメントを構成する構成部材に固定するため、文字板とダイヤルリング間で固定する際のような部材間の隙間による表示のずれの発生が少なくなる。また、文字板とダイヤルリングを別々の係合部で固定するため、係合部を長く取る必要が無い。従って、係合部を細くしても強度が確保されるため、径方向のサイズの制約も少なくなり、小型化を含むいろいろなデザインも可能となる。
【００１１】
本発明では、前記第一係合部の少なくとも一対および前記第二係合部の少なくとも一対が、前記ムーブメントの中心を挟んで略直線上に位置する構成が好ましい。
この発明では、文字板とダイヤルリングとを係合する第一、第二係合部の少なくとも一対がムーブメントの中心を挟んで略直線上に位置しており、係合部は距離の離れた位置で係合される。従って、距離の近い係合部同士によって係合される場合と比較して、案内部自体の位置ずれやクリアランスによる位置ずれが発生しても、案内部と表示部の相互差による位置ずれの増幅がないため、文字板やダイヤルリングの表示位置の正確さも増す。
【００１２】
本発明では、前記係合部の頂点が略同一平面内にあり、前記第一係合部の少なくとも一対を結ぶ直線および前記第二係合部の少なくとも一対を結ぶ直線のなす交わり角度が、３０°以上１５０°以下である構成が好ましい。
この発明では、係合部の頂点が略同一平面内にあることにより、ムーブメントの組立、修理等の時、時計を係合部が下側となるように作業台上に置けば、ムーブメントが傾くことなく作業をする際に安定する。従って、平らな作業台であればどこでも作業が行え、突出した係合部に逃げさらいを施したような特殊な治工具が不要である。
また、文字板とダイヤルリングとを係合するそれぞれの係合部が形成する直線のなす角度が、３０〜１５０°であるため、それぞれの係合部が適当な距離をおいて離れて位置し、どちらの方向に力が加わっても傾くことが無く、この点でも作業をする際に非常に安定させることができる。この角度は、８０〜１００°がさらに好ましく、９０°を含む９０°付近が最も好ましい。
【００１３】
本発明では、前記ダイヤルリングと前記第二係合部が接する部分の一部は、断面視方向において文字板と重なっている構成が好ましい。
この発明では、ダイヤルリングと係合部の接する部分の幅が文字板の板厚より狭いので、ダイヤルリングと文字板を含めた薄型化が行える。
【００１４】
本発明では、前記文字板と前記ダイヤルリングと前記ムーブメントを構成する構成部材とが合成樹脂製である構成が好ましい。
この発明では、位置決めを行う構成部材が全て合成樹脂から構成されるため、構成部材間の熱膨張差による表示の狂いが少ない。また、合成樹脂形成用の金型作成時の位置補正で、係合部の位置のずれは最小限に抑えられる。さらに、合成樹脂では係合部に締め代を設けてガタが少なくなるうえ、金属と合成樹脂が係合した際に発生する削れかすが歯車部に付着して止まり等の不具合を引き起こすこともない。
【発明の効果】
【００１５】
本発明の時計によれば、ステップ運針する指針と外装表示部材との間、および外装表示部材間の位置ずれの少ない構造を備え、デザイン上の制約も少なく、組立性に優れるという効果がある。
【発明を実施するための最良の形態】
【００１６】
以下、本発明の実施形態を図面に基づいて説明する。図１には、本発明の一実施形態にかかる時計１の断面図を示した。図２には、文字板８の平面図を示した。図３には、ダイヤルリング９の平面図を示した。
【００１７】
図１において、中心線より右側が３時−９時方向の断面図で、左側が１２時−６時方向の断面図である。時計１のムーブメント１５は、胴３、飾り縁４、カバーガラス５、および裏蓋６からなる外装ケース内に中枠７によって狭持されており、地板２（構成部材）を含んで構成されている。胴３と飾り縁４は、各々に設けられたかしめ受部３ａ、かしめ変形部４ａで機械的にかしめ固定されている。符号１６，１７，１８は、防水性を確保するためのパッキンであり、パッキン１６はカバーガラス５を飾り縁４に圧入固定するための締代部材を兼ねる。一方、胴３と裏蓋６はめねじ部３ｂとおねじ部６ａでねじ固定されている。裏蓋６を締めると、カバーガラス側はダイヤルリング９、文字板８を介して、裏蓋側は中枠７を介してムーブメント１５を挟み込んで固定している。符号１９，２０，２１はそれぞれ秒針、分針、時針であり、図示しないモーター、歯車等のムーブメント構成部品によって駆動される。
【００１８】
前記地板２上には、時針２１の表示等種々の情報を表示するための文字板８が配置され、その外周には秒針１９や分針２０が機能を表示するためのダイヤルリング９が配置されている。ダイヤルリング９、文字板８への機能表示については、デザイン、機能により、秒針１９、分針２０、時針２１の間で任意に組み合わせが可能である。
そして、地板２の外周部には、文字板８、ダイヤルリング９に対して突出した第一、第二突起部１０、１１（第一、第二係合部）が設けられている。
【００１９】
図２において、文字板８には、地板２の第一突起部１０と係合する文字板側案内部１２が設けられている。文字板側案内部１２は、文字板８の外側に向かって突き出た二箇所の突片部分に切欠状に形成されている。文字板側案内部１２は一対設けられ、地板２の中心（文字板８の中心）を挟んで反対側に略一直線上に位置する。また、文字板８には、数字による１２時間表示、２４時間表示、および時・分表示用のバーが植字、印刷されている。ただし、このような表示は、実際的でなく、多様な表示形態を示すために意図的に図示してある。
【００２０】
図３において、ダイヤルリング９の裏側には、点線で示すように、地板２の第二突起部１１と係合する断面凹状のリング側案内部１４が形成されている。リング側案内部１４は一対設けられ、地板２の中心をはさんで反対側に略一直線上に位置している。ダイヤルリング９には、分・秒を表示する数字、分・秒表示バー、および機能が印刷されている。例えば、機能表示としては電波時計における受信状態や２次電池の充電状況を表示することができる。
【００２１】
第一突起部１０と第二突起部１１（すなわち文字板８の文字板側案内部１２とダイヤルリング９のリング側案内部１４）の位置関係は、次のように設定されている。第一突起部１０（文字板８の文字板側案内部１２）は、３時−９時方向の略一直線上にあり、第二突起部１１（ダイヤルリング９のリング側案内部１４）は、１２時−６時方向の略一直線上にある。これらの直線のなす角度αは、ほぼ９０°に設定されている。
【００２２】
ここで、ダイヤルリング９について、図３に正対して見たとき、上部と下部にある地板２の第二突起部１１に案内されている状態で、仮に下部の第二突起部１１の位置がずれたとしても、ダイヤルリング９の表示ずれは最大でも前記第二突起部１１のずれ範囲でしかなく、表示位置のずれも最小限に抑えられる。一方、ダイヤルリング９について、図３に正対して見たとき、仮に上部の第二突起部１１と左部の第一突起部１０で案内されたとすると、案内部と表示部の相互差による表示位置のずれが、最も遠い下部において約１．４倍に増幅される。
【００２３】
地板２、文字板８、ダイヤルリング９は射出成形による合成樹脂で形成されている。従って、係合部分の位置関係等は、射出成形時の型の修正によって最適化が可能である。
【００２４】
３時−９時方向の断面図（図１中の右側）および図２に基づいて文字板８の係合構造をより具体的に説明する。
文字板８の係合は、地板２に設けられた第一突起部１０と文字板８に設けられた文字板側案内部１２（図２に図示）の切欠が合わさることによって行われる。ここで、第一突起部１０の高さは、文字板８の厚みよりも低く設定され、頂点は文字表示面１３よりわずかに地板２側に位置している。第一突起部１０には、文字板８のみが係合されており、ダイヤルリング９は係合されない。
【００２５】
次に、１２時−６時方向の断面図に基づいてダイヤルリング９の係合構造についてより具体的に説明する。
ダイヤルリング９の係合は、第二突起部１１によって行われる。ダイヤルリング９の係合部分は、地板２に向かって断面凹状のリング側案内部１４が設けられている。このリング側案内部１４と第二突起部１１とが合わさることによって係合する。文字板８の外周は、第二突起部１１の内側までしかなく、第二突起部１１は、ダイヤルリング９のみと係合する。また、第二突起部１１の頂点は、文字板８の文字表示面１３より低く設定され、第一突起部１０の高さと同じに設定されている。これにより、第一突起部１０の頂点と第二突起部１１の頂点は文字表示面１３より地板２側の略同一面に位置することになる。
【００２６】
このような本実施形態によれば、以下の効果がある。
（１）文字板８とダイヤルリング９とをムーブメントを構成する構成部材である地板２の第一、第二突起部１０、１１に個別に係合させる。ここで、時計１のムーブメントでは、これを構成する指針や他の構成部材が精度良く精密に組み立てられており、指針の位置等は、ムーブメント上において正確に決められている。地板２に対して、文字板８、ダイヤルリング９の位置を第一、第二突起部１０、１１によって合わせることはすなわち、指針、文字板８、ダイヤルリング９相互の位置精度が向上し、指針による表示が正確になる。また、文字板８とダイヤルリング９とを個々に地板２に固定するため、文字板８とダイヤルリング９間で固定する際のような部材間の隙間による表示のずれの発生が少なくなる。
【００２７】
（２）文字板８とダイヤルリング９をそれぞれ地板２に設けられた一対の第一突起部１０、一対の第二突起部１１で位置決め、係合するため、より正確に位置決めでき、より正確に表示できる。
【００２８】
（３）文字板８とダイヤルリング９を係合する突起部がそれぞれ形成する直線のなす角度αが、ほぼ９０°であるため、それぞれの係合部が干渉することが無く係合できる。また、地板２の突起部と係合する文字板８やダイヤルリング９の係合部がそれらの中心を挟んで反対側に離れて位置しているため、文字板８やダイヤルリング９に印刷、植字加工する際に、離れた一対の係合部で印刷時の治具に固定して、それらの位置を基準として印刷、植字の位置決めを行うと、印刷、植字加工の位置精度を向上させることができる。
【００２９】
（４）第一突起部１０と第二突起部１１の頂点が略同一平面内にあることにより、ムーブメントの組立、修理等の時、時計を突起部が下側となるように作業台上に置けば、作業をする際に安定させることができる。従って、平らな作業台であればどこでも作業ができ、特殊な治工具が不要である。
また、それぞれの四つの突起部がほぼ９０°おきに離れて位置するため、この点でも作業をする際に非常に安定させることができる。
さらに、突起部の頂点が文字板の文字表示面１３より地板２側にあるため、突起部の長さが短くて済み、細い突起部でも強度が確保できる。従って、薄型化もやり易く、ダイヤルリング９の径方向サイズの制約も少なくできる。
【００３０】
（５）位置決めを行う地板２、文字板８、ダイヤルリング９が全て合成樹脂から構成されるため、これら構成部材間の熱膨張差による表示の狂いを少なくできる。また、合成樹脂形成用の金型作成時の位置補正で、係合部の位置のずれは最小限に抑えることができる。さらに、合成樹脂を用いるため、第一、第二突起部１０、１１や文字板側案内部１２、リング側案内部１４に締め代を設けてガタのない嵌め込みを容易にすることができる。
【００３１】
なお、本発明は前述の実施形態に限定されるものではなく、本発明の目的を達成できる範囲での変形、改良等は本発明に含まれるものである。
例えば、実施形態では、ムーブメントの地板２に第一、第二突起部１０、１１を設けていたが、本発明では、ムーブメントが太陽電池枠を含んで構成されている場合、この太陽電池枠（構成部材）に突起部を設けて文字板８とダイヤルリング９の位置決めを行ってもよい。
また、前記実施形態では、文字板８の文字板側案内部１２は切欠、ダイヤルリング９のリング側案内部１４は円柱状の断面凹状としたが、それぞれどのような形状であってもよい。例えば、地板２側に凹状の第一、第二係合部を設け、文字板８およびダイヤルリング９側にそれぞれ突起状の係合部分を設けてもよい。
さらに、前記実施形態では、第一突起部１０の高さを、文字板８の厚みよりも低く設定して、頂点は文字表示面１３よりわずかに地板２側に位置させたが、文字表示面１３より出ていてもよい。このときでも、第二突起部１１の頂点は第一突起部１０の頂点と略平面内にすることにより、前述の修理時等の作業が安定する。
【図面の簡単な説明】
【００３２】
【図１】本発明の一実施形態にかかる時計を示す断面図。
【図２】文字板の正面図。
【図３】ダイヤルリングの正面図。
【符号の説明】
【００３３】
１…時計、２…ムーブメントを構成する構成部材としての地板、３…胴、３ａ…かしめ部、３ｂ…ねじ部、４…飾り縁、４ａ…かしめ変形部、５…カバーガラス、６…裏蓋、６ａ…ねじ部、７…中枠、８…文字板、９…ダイヤルリング、１０…第一係合部としての第一突起部、１１…第二係合部としての第二突起部、１２…文字板側案内部、１３…文字表示面、１４…リング側案内部、１５…ムーブメント、１６，１７，１８…パッキン、１９…秒針、２０…分針、２１…時針。
【図１】
2005265783.tif 000003
【図２】
2005265783.tif 000004
【図３】
2005265783.tif 000005